(57)【要約】【課題】電力量計５に対して容易にバイパス回路を接続できる電力量計５用のバイパス工具を提供することを課題とする。【解決手段】本発明は、電力量計５が備える端子台５１に対してバイパス回路を接続するための電力量計５のバイパス工具であって、前記バイパス回路を前記端子台５１に接続すべく、前記端子台５１に当接させるバイパス端子３と、前記端子台５１に当接させている状態の前記バイパス端子３を、前記端子台５１に向けて付勢する付勢手段２２と、を備える。【選択図】図５
2019211274.tif 000002
【特許請求の範囲】
【請求項１】
電力量計が備える端子台に対してバイパス回路を接続するための電力量計のバイパス工具であって、
前記バイパス回路を前記端子台に接続すべく、前記端子台に当接させるバイパス端子と、
前記端子台に当接させている状態の前記バイパス端子を、前記端子台に向けて付勢する付勢手段と、を備える、
電力量計用のバイパス工具。
【請求項２】
前記バイパス端子の先端面は、前記端子台に対して面接触するように構成される、請求項１に記載の電力量計用のバイパス工具。
【請求項３】
前記バイパス端子が内部に設けられるケースを備え、
前記ケースの背面には、前記バイパス端子を挿通する筒状の端子用挿通部が形成され、
前記端子用挿通部の内径は、前記バイパス端子の外径よりも大きい、
請求項１又は請求項２に記載の電力量計用のバイパス工具。
【発明の詳細な説明】
【技術分野】
【０００１】
本発明は、電力量計に取り付けて電源側と負荷側とをつなぐバイパス回路を形成する電力量計用のバイパス工具に関する。
【背景技術】
【０００２】
従来、電源と負荷とをつなぐ電路上に設置される電力量計に対して、電源側と負荷側とをつなぐためのバイパス回路を新たに接続するバイパス工具が知られている。
【０００３】
例えば、特許文献１には、電線を接続する電線接続部が複数設けられた端子ブロック（いわゆる、端子台）を備える電力量計を対象とし、該端子ブロックに取り付けることで電力量計に前記バイパス回路を接続するように構成されたバイパス工具が開示されている。
【０００４】
かかるバイパス工具は、端子ブロックの前面にあてがうケースと、該ケースに対して前面側から挿通され且つ先端部が該ケースの背面から出退可能となるように構成された複数のねじと、ケース内で複数のねじ同士を電気的に接続するブスバと、を備えている。
【０００５】
そのため、前記バイパス工具は、ケースを端子ブロックの前面にあてがった後にねじの先端部をケースの背面から進出させ、さらに、該ねじの先端部を電線接続部の雌ねじ部に螺合させると、ねじが電線接続部に対して電気的に接続された状態で固定され、これにより、端子ブロックに前記バイパス回路を形成できるようになっている。
【先行技術文献】
【特許文献】
【０００６】
【特許文献１】特開２０１６−８０６８７号公報
【発明の概要】
【発明が解決しようとする課題】
【０００７】
ところで、上記従来のバイパス工具では、ねじの先端部を端子ブロックの電線接続部（電線接続部の雌ねじ部）に螺合させるように構成されているため、バイパス回路を電線接続部に接続するには、ねじを幾度も回す作業が必要となり、電力量計にバイパス回路を接続するための作業が煩雑であった。
【０００８】
そこで、本発明は、かかる実情に鑑み、電力量計に対して容易にバイパス回路を接続できる電力量計用のバイパス工具を提供することを課題とする。
【課題を解決するための手段】
【０００９】
本発明の電力量計用のバイパス工具は、
電力量計が備える端子台に対してバイパス回路を接続するための電力量計のバイパス工具であって、
前記バイパス回路を前記端子台に接続すべく、前記端子台に当接させるバイパス端子と、
前記端子台に当接させている状態の前記バイパス端子を、前記端子台に向けて付勢する付勢手段と、を備える。
【００１０】
上記構成の電力量計用のバイパス工具によれば、端子台に当接させたバイパス端子は、付勢手段によって端子台に向けて付勢されるため、バイパス端子の端子台に対する当接状態が付勢手段の付勢力によって維持される。このように、前記電力量計用のバイパス工具は、付勢手段による付勢力に任せてバイパス端子を端子台に当接させた状態を維持できるようになっている。
【００１１】
本発明の電力量計用のバイパス工具において、
前記バイパス端子の先端面は、前記端子台に対して面接触するように構成されていてもよい。
【００１２】
かかる構成によれば、バイパス端子の先端面を端子台に面接触させることで、バイパス端子と端子台との導通状態を確保し易くすることができる。
【００１３】
また、本発明の電力量計用のバイパス工具は、
前記バイパス端子が内部に設けられるケースを備え、
前記ケースの背面には、前記バイパス端子を挿通する筒状の端子用挿通部が形成され、
前記端子用挿通部の内径は、前記バイパス端子の外径よりも大きくなっていてもよい。
【００１４】
かかる構成によれば、バイパス端子と端子用挿通部との間には、該バイパス端子の動きを許容するためのスペースが形成されるため、バイパス端子が端子用挿通部に干渉し難くなる。従って、前記スペースによって許容される範囲内でバイパス端子を端子用挿通部に対して独立可動させることができるようにすることで、電力量計に対するバイパス端子の接続状態が維持されやすくなる。
【発明の効果】
【００１５】
以上のように、本発明の電力量計用のバイパス工具は、電力量計に対して容易にバイパス回路を接続できるという優れた効果を奏し得る。
【図面の簡単な説明】
【００１６】
【図１】図１は、本発明の一実施形態に係る電力量計用のバイパス工具の正面図である。
【図２】図２は、同実施形態に係る電力量計用のバイパス工具の背面図である。
【図３】図３は、同実施形態に係る電力量計用のバイパス工具の平面図である。
【図４】図４は、同実施形態に係る電力量計用のバイパス工具の背面図であって、ケースの後側の部分を取り外した状態の背面図である。
【図５】図５は、図３のＶ−Ｖ線における断面図である。
【図６】図６において、（ａ）はバイパス端子を進出位置に配置した状態での操作部の正面図であり、（ｂ）はかかる操作部の平面図である。
【図７】図７において、（ａ）はバイパス端子を退避避位置に配置した状態での操作部の正面図であり、（ｂ）はかかる操作部の平面図である。
【図８】図８において、（ａ）は電力量計の正面図であり、（ｂ）は電力量計の底面図である。
【図９】図９は、同実施形態に係る電力量計用のバイパス工具の使用状態の説明図であり、バイパス回路を端子台に接続する前の状態の説明図である。
【図１０】図１０は、同実施形態に係る電力量計用のバイパス工具の使用状態の説明図であり、バイパス回路を端子台に接続した後の状態の説明図である。
【発明を実施するための形態】
【００１７】
以下、本発明の一実施形態に係る電力量計用のバイパス工具（以下、バイパス工具と称する）について添付図面を参照しつつ説明を行う。
【００１８】
電力量計は、図８（ａ）、及び図８（ｂ）に示すように、計量部５０と、端子台５１と、を備えており、該端子台５１は、横並びに配置された複数の接続端子５１０を備えている。
【００１９】
端子台５１は、電源側につながるケーブルと、負荷側につながるケーブルと、が接続されるように構成されており、電源側のケーブルと負荷側のケーブルとは計量部５０を通じて電気的に接続されるようになっている。なお、端子台５１は、底面の差込孔５１０ａを通じてケーブルを内部に差し込めるように構成されている（図８（ｂ）参照）。
【００２０】
本実施形態に係るバイパス工具は、上記構成の電力量計５に使用するものであり、端子部に対して、計量部５０を通さずに（迂回して）電源側のケーブルと負荷側のケーブルとを電気的に接続するバイパス回路を接続するように構成されている。
【００２１】
本実施形態に係るバイパス工具は、図１に示すように、バイパス回路が内装されるケース２と、該ケース２内に設けられるバイパス端子３であって、バイパス回路を電力量計５（本実施形態では、端子台５１）に接続するためのバイパス端子３（図２参照）と、該バイパス端子３に設けられる操作部であって、バイパス端子３を、端子台５１に導通接続した接続状態と端子台５１から切り離した切離状態とに切り替えるための操作部４と、を備えている。
【００２２】
なお、本実施形態では、ケース２の前面と背面とが並ぶ方向を前後方向、ケース２の上下に対応する方向を上下方向、前後方向と上下方向とに直交する方向（すなわち、ケース２の横幅に対応する方向）を横方向、と称して以下の説明を行うこととする。
【００２３】
また、本実施形態に係るバイパス工具１には１つのバイパス回路が設けられている。このバイパス回路には２つのバイパス端子３が接続されており、該２つのバイパス端子３のそれぞれには、別々の操作部４が設けられている（図１、図２参照）。
【００２４】
また、２つのバイパス端子３は、前記横方向で間隔をあけて並ぶように配置されている（図２参照）。
【００２５】
ケース２は、図５に示すように、端子台５１の前面にあてがわれる背面２００、及び該背面２００とは反対側の前面２０１を有するケース本体２０と、バイパス端子３をケース本体２０に対して前後方向でスライドさせるためのスライド構造２１と、バイパス端子３を前記前後方向における後方側に付勢するための付勢手段２２と、バイパス端子３を前記前後方向で位置決め可能な端子用位置決部２３と、ケース本体２０を端子台５１に固定するための固定構造２４（図２参照）と、を備えている。
【００２６】
ケース本体２０は、箱状に形成されており、内部にはバイパス端子３が配置されている。なお、ケース本体２０内には、バイパス回路を構成するための基板や電子部品も配置されている。
【００２７】
スライド構造２１は、操作部４を前記前後方向でスライド可能となるように挿通する操作部用挿通部２１０であって、ケース本体２０の前面２０１で開口する筒状の操作部用挿通部２１０と、バイパス端子３を前記前後方向でスライド可能となるように挿通する端子用挿通部２１１であって、ケース本体２０の背面２００に設けられる端子用挿通部２１１とを有する。
【００２８】
操作部用挿通部２１０は、ケース本体２０の前面２０１の内側（ケース本体２０内に位置する一面側）から前記前後方向における後方側に向かって延出している。
【００２９】
また、操作部用挿通部２１０では、先端側の内径が基端側の内径よりも大きくなっている。そのため、操作部用挿通部２１０の先端側の内周面と基端側の内周面との境目には、操作部用挿通部２１０の基端側の内周面に対応する位置から径方向外方（操作部用挿通部２１０の径方向外方）に広がる内平面２１２が形成されている。
【００３０】
なお、本実施形態では、２つの操作部用挿通部２１０が前記横方向で間隔をあけて並んでいる。
【００３１】
端子用挿通部２１１は、筒状であり、且つケース本体２０の背面２００の外側（ケース本体２０外に位置する一面側）から前記前後方向における後方側に向かって延出している。また、端子用挿通部２１１は、基端側の開口がケース本体２０の内部に向けて開放している。
【００３２】
本実施形態では、上述のように、２つのバイパス端子３がケース２の横方向で間隔をあけて並ぶように配置されるため、ケース本体２０の背面２００には、各バイパス端子３の配置位置に合わせて２つの端子用挿通部２１１が前記横方向で間隔をあけて並ぶように形成されている。
【００３３】
なお、端子用挿通部２１１は、操作部用挿通部２１０に対して上方側にずれた位置に設けられている。
【００３４】
付勢手段２２は、圧縮コイルバネである。また、付勢手段２２は、端子用挿通部２１１の先端側に挿入されており、伸縮方向における一端が内平面２１２に当接するように配置されている。なお、付勢手段２２は、バイパス端子３が、後述する進出位置に配置した状態で、伸縮方向における長さが自然長未満となるように構成されることが好ましい。このようにすれば、バイパス端子３に対して前後方向における後方側に働く付勢力を常にかけておくことができる。なお、付勢手段２２は、板ばね等で構成されていてもよい。
【００３５】
端子用位置決部２３は、図６（ｂ）、図７（ｂ）に示すように、バイパス端子３を前記前後方向における後方側にスライドさせた進出位置に位置決めする進出用位置決部２３０と、バイパス端子３を前記前後方向における前方側にスライドさせた後退位置に位置決めする後退用位置決部２３１と、を有する。
【００３６】
なお、進出位置とは、端子台５１の前面２０１にケース２（ケース本体２０の背面２００）をあてがっている状態でバイパス端子３が端子台５１の接続端子５１０に導通接続される位置のことである。また、後退位置とは、端子台５１の前面２０１にケース２（ケース本体２０の背面２００）をあてがっている状態でバイパス端子３が端子台５１の接続端子５１０から切り離される位置のことである。
【００３７】
進出用位置決部２３０は、図６（ｂ）に示すように、前記前後方向における後方側で操作部４を受ける進出用受部２３０ａと、該進出用受部２３０ａ上に操作部４を留めるための進出用ずれ止部２３０ｂと、を有する。
【００３８】
後退用位置決部２３１は、図７（ｂ）に示すように、前記前後方向における後方側で操作部４を受ける後退用受部２３１ａと、後退用受部２３１ａ上に操作部４を留めるための後退用ずれ止部２３１ｂと、を有する。
【００３９】
ここで、本実施形態に係る端子用位置決部２３（進出用位置決部２３０、後退用位置決部２３１）は、操作部４を介してバイパス端子３を位置決めするように構成されている。
【００４０】
より具体的に説明すると、端子用位置決部２３は、ケース本体２０の前面２０１から前方に向かって延出する筒状部２３２によって構成されている。
【００４１】
筒状部２３２には、先端面から前記前後方向における後方側（すなわち、基端側）に向かって凹む凹部２３２ａが形成されている。また、筒状部２３２には、周方向（自身の周方向）で間隔をあけて複数（本実施形態では２つ）の凹部２３２ａが形成されている。
【００４２】
進出用受部２３０ａでは、図６（ｂ）に示すように、凹部２３２ａの底面２３２ｂにより進出用受部２３０ａが構成され、凹部２３２ａの側面２３２ｃにより進出用ずれ止部２３０ｂが構成されている。
【００４３】
そして、後退用受部２３１ａでは、図７（ｂ）に示すように、筒状部２３２の先端面〔２３２ｄ（筒状部２３２の周方向で隣り合う凹部２３２ａと凹部２３２ａの間の先端面）により後退用受部２３１ａが構成されており、該先端面２３２ｄの両側端部から手前側（前記前後方向における前方側）に膨出する膨出部２３２ｅにより後退用ずれ止部２３１ｂが構成されている。
【００４４】
固定構造２４は、図３に示すように、前記前後方向に沿ってケース本体２０の前面２０１から背面２００まで連続する挿通領域を形成する前側挿通部２４０と、該固定用挿通部に対して前記前後方向における後方側で並ぶ位置に設けられる固定用挿通部２４１と、固定用挿通部２４１に対して前記前後方向における前方側から挿通される固定ねじ２４２と、固定用挿通部２４１内の固定ねじ２４２をケース本体２０の前面２０１側に付勢する押戻手段２４３と、を備えている。
【００４５】
前側挿通部２４０の挿通領域は、ケース本体２０の前面２０１、及びケース本体２０の背面２００で開放するように形成されている。
【００４６】
固定用挿通部２４１は、筒状であり且つケース本体２０の背面２００から前記前後方向における後方側に向かって延出している。また、固定用挿通部２４１は、横方向において端子用挿通部２１１よりも内側に設けられている。
【００４７】
固定ねじ２４２は、固定用挿通部２４１に対して前記前後方向でスライド可能となるように挿通されている。また、固定ねじ２４２は、固定用挿通部２４１内でのスライドにより、雄ねじ部の先端部を固定用挿通部２４１から前記前後方向における後方側に露出（進出）させた露出状態と、雄ねじ部の先端部全体を固定用挿通部２４１内に収容した収容状態（すなわち、雄ねじ部の先端が固定用挿通部２４１の先端よりも前後方向のける前方側に位置する状態）とに切替可能である。
【００４８】
固定ねじ２４２が露出状態に切り替えられると、雄ねじ部を電力量計５（端子台５１）におけるバイパス工具１の取付箇所（例えば、接続端子５１０に形成されているねじ孔）に螺合させることができる状態になる。一方、固定ねじ２４２が収容状態に切り替えられると、雄ねじ部を前記取付箇所に螺合させることができない状態になる。
【００４９】
押戻手段２４３は、圧縮コイルバネで構成されており、前記前後方向で伸縮するようにして前側挿通部２４０内に配置されており、前側挿通部２４０内で前記前後方向における後方側にスライドさせた固定ねじ２４２を手前側に押し返すように構成されている。
【００５０】
バイパス端子３は、図５に示すように、軸状の端子本体部３０と、端子本体部３０と操作部４とを連結する連結構造３１と、端子本体部３０をバイパス回路の電路に接続するための導通接続部３２と、を備えている。
【００５１】
端子本体部３０は、軸心方向を前記前後方向に一致又は略一致させた状態で配置されており、端子用挿通部２１１に挿通されている。
【００５２】
また、端子本体部３０は、バイパス端子３を進出位置又は後退位置への配置変更に伴い、端子用挿通部２１１内で前記前後方向にスライドするように構成されている。そして、端子台５１の前面２０１にケース２をあてがった状態でバイパス端子３が進出位置に配置されると、端子本体部３０の先端部は、端子挿通部から外部に進出して（すなわち、端子挿通部よりも前記前後方向における後方側に進出して）接続端子５１０に接触する。一方、端子台５１の前面２０１にケース２をあてがった状態でバイパス端子３が後退位置に配置されると、端子本体部３０の先端部は、端子挿通部内に退避して接続端子５１０から離れる。このようにして、バイパス端子３が接続端子５１０に導通接続された状態と、バイパス端子３が接続端子５１０から切り離された状態とが切り替わるようになっている。
【００５３】
ここで、端子本体部３０の外径と、端子用挿通部２１１の内径との関係について説明する。横方向における端子用挿通部２１１の内寸は、横方向における端子本体部３０の外寸よりも大きくなっている。すなわち、端子用挿通部２１１は、端子本体部３０との間に該端子本体部３０の横方向での動きを許容するためのスペースが形成されるように構成されている。なお、上下向における端子用挿通部２１１の内寸は、上下方向における端子本体部３０の外寸よりもわずかに大きくなっていればよい。
【００５４】
さらに、端子本体部３０の先端面２３２ｄは、平面に形成されており、接続端子５１０の前面２０１に対して面接触するように構成されている。
【００５５】
連結構造３１は、端子本体部３０が取り付けられる連結板部３１０と、該連結板部３１０と操作部４とを連結する連結軸部３１１と、を有する。
【００５６】
連結板部３１０には、端子本体部３０の軸心方向における一端（以下、基端と称する）が取り付けられている。また、連結板部３１０は、細長い形状（本実施形態では、長方形状）であり（図４参照）、長手方向における一端部にバイパス端子３が取り付けられ、長手方向における中央部に連結軸部３１１が取り付けられている。
【００５７】
連結軸部３１１は、軸心方向が前記前後方向に一致又は略一致する姿勢で、操作部用挿通部２１０の先端側から該操作部用挿通部２１０内に挿通されている。
【００５８】
また、本実施形態では、連結軸部３１１が操作部用挿通部２１０内の付勢手段２２の内側にも挿通された状態になっており、連結板部３１０が付勢手段２２の伸縮方向における他端（以下、先端と称する）を受けるように構成されている。
【００５９】
さらに、連結軸部３１１の軸心は、端子本体部３０の軸心から離れた場所（端子本体部３０の径方向で離れた場所）に位置している。そのため、端子本体部３０は、連結軸部３１１の軸心を中心とする周方向で回転可能であり、端子用挿通部２１１との間のスペースにより許容される範囲内で、横方向に動くことができるように構成されている。
【００６０】
導通接続部３２は、連結構造３１の一部に対して一体に形成されている。本実施形態では、連結板部３１０の長手方向における他端部により導通接続部３２が構成されている。そして、本実施形態では、各バイパス端子３の導通接続部３２同士が電気的に接続されることで、一つのバイパス回路が構成されている。
【００６１】
操作部４は、ケース本体２０の前面２０１よりも手前側に配置される操作部本体４０、該操作部本体４０から延出し且つ操作部４用ガイド部に対して前記前後方向でスライド可能となるように挿入される被ガイド部４１と、を有する。
【００６２】
操作部本体４０は、細長い形状（本実施形態では長方形状）であり、長手方向における寸法が端子用位置決部２３（筒状部２３２）の外径よりも大きくなっている。本実施形態に係る操作部本体４０では、図６（ａ）、及び図７（ａ）に示すように、長手方向における両側が端子用位置決部２３（進出用受部２３０ａ、若しくは後退用受部２３１ａ）に対して前方側から掛止する掛止部４００となっている。
【００６３】
被ガイド部４１は、この操作部本体４０の長手方向における中央部側から延出している。そのため、各掛止部４００は、被ガイド部４１を中心とする周方向に沿って回動可能となっている。
【００６４】
本実施形態に係るバイパス工具１の構成は以上の通りである。続いて、本実施形態に係るバイパス工具１の使い方を説明する。
【００６５】
バイパス工具１を用いてバイパス回路を端子台５１に接続するにあたり、操作部本体４０を第二の姿勢に切り替えておき（図９参照）、各バイパス端子３を後退位置に配置しておく。このとき、端子本体部３０の先端は、端子用挿通部２１１内に配置されている。また、操作部本体４０は、掛止部４００が後退用受部２３１ａに対して前方側から掛止されている。
【００６６】
掛止部４００は、被ガイド部４１を中心とする周方向に沿って回動しようとすると後退用ずれ止部２３１ｂが干渉する。そのため、掛止部４００は、後退用ずれ止部２３１ｂによって後退用受部２３１ａ上に留められている。
【００６７】
バイパス工具１を端子台５１に取り付けるには、まず、ケース２（ケース本体２０の背面２００）を端子台５１の前面２０１にあてがう。ケース本体２０の背面２００を端子台５１の前面２０１にあてがった状態においては、各端子本体部３０が別々の接続端子５１０の前方に配置され、固定ねじ２４２が前記固定箇所（本実施形態では、接続端子５１０に形成されているねじ孔）の前方に配置される。そして、固定ねじ２４２を前記固定箇所、すなわち、接続端子５１０のねじ孔に螺合させる。
【００６８】
そして、操作部本体４０の姿勢を切り替えて（図１０参照）、各バイパス端子３を後退位置から進出位置に移動させることで、バイパス回路が端子台５１に接続される。
【００６９】
より具体的に説明すると、操作部本体４０を後退用ずれ止部２３１ｂよりも手前側に引き出した後、該操作部本体４０を回転させて各掛止部４００を後退用受部２３１ａの前方から進出用受部２３０ａの前方に移動させる。そして、各掛止部４００を進出用受部２３０ａに配置し、付勢手段２２の付勢力に任せて各掛止部４００を進出用受部２３０ａに掛止する。
【００７０】
なお、掛止部４００は、進出用受部２３０ａに掛止されている状態で被ガイド部４１を中心とする周方向に沿って回動しようとすると、進出用ずれ止部２３０ｂが干渉する。そのため、掛止部４００は、被ガイド部４１を中心とする周方向での回動が規制された状態になる。
【００７１】
また、掛止部４００を後退用受部２３１ａから進出用受部２３０ａに掛け替えるに伴い、端子本体部３０が前記前後方向における後方側にスライドする。そのため、端子本体部３０の先端部が端子用挿通部２１１から外側に進出し、該端子本体部３０の先端部（先端面）が接続用端子の前面２０１に当接する。
【００７２】
端子本体部３０は、このようにして接続用端子に導通接続される。そして、各バイパス端子３の端子本体部３０を接続用端子に導通接続することにより、バイパス回路を端子台５１に接続することができる。
【００７３】
端子台５１からバイパス回路を切り離す場合は、各バイパス端子３を進出位置から後退位置に移動させる。
【００７４】
より具体的に説明すると、操作部本体４０を進出用ずれ止部２３０ｂ及び後退用ずれ止部２３１ｂよりも手前側に引き出した後、該操作部本体４０を回転させて各掛止部４００を進出用受部２３０ａの前方から後退用受部２３１ａの前方に移動させる。そして、各掛止部４００を後退用受部２３１ａに配置し、付勢手段２２の付勢力に任せて各掛止部４００を後退用受部２３１ａに掛止する。
【００７５】
掛止部４００を進出用受部２３０ａから後退用受部２３１ａに掛け替えるに伴い、端子本体部３０が手前側（前記前後方向における前方側）にスライドする。そのため、端子本体部３０の先端部が端子用挿通部２１１内に移動し、該端子本体部３０の先端部（先端面）が接続用端子の前面２０１から離れる。
【００７６】
接続端子５１０に導通接続されている端子本体部３０は、このようにして接続用端子から切り離される。そして、各バイパス端子３の端子本体部３０を接続用端子から切り離すことで、バイパス回路を端子台５１から切り離すことができる。
【００７７】
以上のように、本実施形態に係るバイパス工具１によれば、端子台５１に当接させたバイパス端子３は、付勢手段２２によって端子台５１に向けて付勢されるため、バイパス端子３の端子台５１に対する当接状態が付勢手段２２の付勢力によって維持される。このように、前記電力量計５用のバイパス工具１は、付勢手段２２による付勢力に任せてバイパス端子３を端子台５１に当接させた状態を維持できるようになっている。従って、本実施形態に係るバイパス工具１は、電力量計５に対して容易にバイパス回路を接続できるという優れた効果を奏し得る。
【００７８】
また、本実施形態のバイパス工具１では、平面に形成した端子本体部３０の先端面を接続端子５１０の前面２０１に面接触させることで端子本体部３０と接続端子５１０との接触面積を確保しているため、端子本体と接続端子５１０との接触状態、すなわち、バイパス回路と端子台５１との接続状態が維持し易くなっている。
【００７９】
さらに、端子挿通部と端子本体部３０との間には、該端子本体部３０の横方向での動きを許容するためのスペースが形成されているため、端子挿通部が端子本体部３０に干渉し難くなっている。そのため、前記スペースによって許容される範囲内でバイパス端子３が端子用挿通部２１１に対して独立可動するため、接続端子５１０の状態（例えば、接続端子５１０の前面２０１の向き）に応じて端子本体部３０の姿勢が変わるようにすることで、端子本体部３０と接続端子５１０との接続状態を維持し易くすることができる。
【００８０】
また、ケース２に外力が加わって横方向に揺れた場合においては、接続端子５１０に接触（導通接続）している端子本体部３０に端子挿通部が干渉しない範囲内においては、端子本体部３０が動かずにケース２のみが動くため、端子本体部３０と接続端子５１０との接続状態が解除されてしまうことを抑えることができる。
【００８１】
さらに、本実施形態では、端子本体部３０の軸心と、該端子本体部３０をケース２に取り付けるための連結軸部３１１の軸心とが、互いにずれた場所に位置しているため、端子本体部３０が前記スペース内で動き易くなっている。
【００８２】
なお、本発明のバイパス工具は、上記実施形態に限定されるものではなく、本発明の要旨を逸脱しない範囲内において種々の変更を加え得ることは勿論である。
【００８３】
上記実施形態において、端子用挿通部２１１は、操作部用挿通部２１０に対して上方側にずれた位置に設けられていたが、この構成に限定されない。例えば、端子用挿通部２１１は、操作部用挿通部２１０に対して横側にずれた位置に設けられていてもよいし、前記前後方向で操作部用挿通部２１０と並ぶ位置に設けられていてもよい。但し、ケース本体２０に対する端子本体部３０の動きを確保するうえでは、端子用挿通部２１１の位置が上下方向若しくは横方向で操作部用挿通部２１０に対してずれている方が好ましい。
【００８４】
上記実施形態では、横方向における端子用挿通部２１１の内寸が横方向における端子本体部３０の外寸よりも大きくなっていたが、この構成に限定されない。例えば、上下方向における端子用挿通部２１１の内寸が上下方向における端子本体部３０の外寸よりも大きくなっていてもよいし、横方向における端子用挿通部２１１の内寸、上下方向における端子用挿通部２１１の内寸がが、それぞれ横方向における端子本体部３０の外寸、上下方向における端子本体部３０の外寸よりも大きくなっていてもよい。
【００８５】
上記実施形態のバイパス工具１は、一つのバイパス回路を有するように構成されていたが、この構成に限定されない。例えば、バイパス工具１は、複数のバイパス回路を有するように構成されていてもよい。
【００８６】
上記実施形態のバイパス端子３は、進出位置に配置されている状態においては、端子本体部３０の先端部が端子用挿通部２１１から進出し、後退位置に配置されている状態においては、端子本体部３０の先端部が端子用挿通部２１１内に収容されるように構成されていたが、この構成に限定されない。例えば、バイパス端子３は、進出位置に配置されている状態で端子本体部３０が接続端子５１０に接触し、後退位置に配置されている状態で端子本体部３０が接続端子５１０から離れるように構成されていれば、後退位置に配置されている状態においても端子本体部３０の先端部が端子挿通部から進出するように構成されていてもよい。
【００８７】
上記実施形態のバイパス端子３は、後退位置から進出位置に配置変更することによって端子本体部３０を接続端子５１０に接触させていたが、この構成に限定されない。例えば、バイパス端子３は、進出位置に配置している端子本体部３０を接続端子５１０に押し付けるようにしてもよい。この場合、端子本体部３０を接続端子５１０に押し付けた状態で端子本体部３０に対してケース２のみを端子台５１側（前記前後方向における後方側）に押し付けることができるようにし、ケース２の押し付け操作に伴って付勢手段２２が圧縮されるように構成されていてもよい。
【符号の説明】
【００８８】
１…バイパス工具、２…ケース、３…バイパス端子、４…操作部、５…電力量計、２０…ケース本体、２１…スライド構造、２２…付勢手段、２３…端子用位置決部、２４…固定構造、３０…端子本体部、３１…連結構造、３２…導通接続部、４０…操作部本体、４１…被ガイド部、５０…計量部、５１…端子台、２００…背面、２０１…前面、２１０…操作部用挿通部、２１１…端子用挿通部、２１２…内平面、２３０…進出用位置決部、２３０ａ…進出用受部、２３０ｂ…進出用ずれ止部、２３１…後退用位置決部、２３１ａ…後退用受部、２３１ｂ…後退用ずれ止部、２３２…筒状部、２３２ａ…凹部、２３２ｂ…底面、２３２ｃ…側面、２３２ｄ…先端面、２３２ｅ…膨出部、２４０…前側挿通部、２４１…固定用挿通部、２４２…固定ねじ、２４３…押戻手段、３１０…連結板部、３１１…連結軸部、４００…掛止部、５１０…接続端子、５１０ａ…差込孔
【図１】
2019211274.tif 000003
【図２】
2019211274.tif 000004
【図３】
2019211274.tif 000005
【図４】
2019211274.tif 000006
【図５】
2019211274.tif 000007
【図６】
2019211274.tif 000008
【図７】
2019211274.tif 000009
【図８】
2019211274.tif 000010
【図９】
2019211274.tif 000011
【図１０】
2019211274.tif 000012
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
電力量計が備える端子台に対してバイパス回路を接続するための電力量計のバイパス工具であって、
前記端子台側に向かう方向と、前記端子台側とは反対側に向かう方向とに移動可能であり、且つ前記バイパス回路を前記端子台に接続すべく、前記端子台に当接させるバイパス端子と、
前記端子台に当接させている状態の前記バイパス端子を、前記端子台に向けて付勢する付勢手段と、
前記バイパス端子を前記端子台側とは反対側に向かう方向に向けて引操作可能であり、且つ該引操作に伴い、前記バイパス端子を端子台の接続端子に接触させることで導通接続可能な進出位置と、該接続端子から切り離すことで該導通接続を解除する後退位置とに配置変更可能な操作部と、を備える、
電力量計用のバイパス工具。
【請求項２】
前記端子台の前面に対向配置する背面と該背面とは反対側の前面とを有するケースを備え、
前記操作部は、前記ケースの前記前面側に設けられ、
前記ケースは、前記前面側に設けられる後退用受部であって、前記バイパス端子を引き操作して前記後退位置に配置させている状態の前記操作部を掛止可能であり、且つ前記操作部の掛止を解除することで前記バイパス端子の前記後退位置から前記進出位置への配置変更を許容する後退用受部を有する、
請求項１に記載の電力量計用のバイパス工具。
【請求項３】
前記バイパス端子の先端面は、前記端子台に対して面接触するように構成される、請求項１又は請求項２に記載の電力量計用のバイパス工具。
【請求項４】
前記ケースの背面には、前記バイパス端子を挿通する筒状の端子用挿通部が形成され、
前記端子用挿通部の内径は、前記バイパス端子の外径よりも大きい、
請求項１乃至請求項３の何れか１項に記載の電力量計用のバイパス工具。
【手続補正２】
【補正対象書類名】明細書
【補正対象項目名】０００９
【補正方法】変更
【補正の内容】
【０００９】
本発明の電力量計用のバイパス工具は、
電力量計が備える端子台に対してバイパス回路を接続するための電力量計のバイパス工具であって、
前記端子台側に向かう方向と、前記端子台側とは反対側に向かう方向とに移動可能であり、且つ前記バイパス回路を前記端子台に接続すべく、前記端子台に当接させるバイパス端子と、
前記端子台に当接させている状態の前記バイパス端子を、前記端子台に向けて付勢する付勢手段と、
前記バイパス端子を前記端子台側とは反対側に向かう方向に向けて引操作可能であり、且つ該引操作に伴い、前記バイパス端子を端子台の接続端子に接触させることで導通接続可能な進出位置と、該接続端子から切り離される後退位置とに配置変更可能な操作部と、を備える。
【手続補正３】
【補正対象書類名】明細書
【補正対象項目名】００１０
【補正方法】変更
【補正の内容】
【００１０】
上記構成の電力量計用のバイパス工具によれば、端子台に当接させたバイパス端子は、付勢手段によって端子台に向けて付勢されるため、バイパス端子の端子台に対する当接状態が付勢手段の付勢力によって維持される。このように、前記電力量計用のバイパス工具は、付勢手段による付勢力に任せてバイパス端子を端子台に当接させた状態を維持できるようになっている。
また、本発明の電力量計用のバイパス工具は、
前記端子台の前面に対向配置する背面と該背面とは反対側の前面とを有するケースを備え、
前記操作部は、前記ケースの前記前面側に設けられ、
前記ケースは、前記前面側に設けられる後退用受部であって、前記バイパス端子を引き操作して前記後退位置に配置させている状態の前記操作部を掛止可能であり、且つ前記操作部の掛止を解除することで前記バイパス端子の前記後退位置から前記進出位置への配置変更を許容する後退用受部を有するように構成されていてもよい。
【手続補正４】
【補正対象書類名】明細書
【補正対象項目名】００１３
【補正方法】変更
【補正の内容】
【００１３】
また、本発明の電力量計用のバイパス工具は、
前記ケースの背面には、前記バイパス端子を挿通する筒状の端子用挿通部が形成され、
前記端子用挿通部の内径は、前記バイパス端子の外径よりも大きくなっていてもよい。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
電力量計が備える端子台に対してバイパス回路を接続するための電力量計のバイパス工具であって、
前記端子台側に向かう方向と、前記端子台側とは反対側に向かう方向とに移動可能であり、且つ前記バイパス回路を前記端子台に接続すべく、前記端子台に当接させるバイパス端子と、
前記端子台に当接させている状態の前記バイパス端子を、前記端子台に向けて付勢する付勢手段と、
前記バイパス端子を前記端子台側とは反対側に向かう方向に向けて引操作可能であり、且つ該引操作に伴い、前記バイパス端子を端子台の接続端子に接触させることで導通接続可能な進出位置と、該接続端子から切り離すことで該導通接続を解除する後退位置とに配置変更可能な操作部と、を備える、
電力量計用のバイパス工具。
【請求項２】
前記端子台の前面に対向配置する背面と該背面とは反対側の前面とを有するケースを備え、
前記操作部は、前記ケースの前記前面側に設けられ、
前記ケースは、前記前面側に設けられる後退用受部であって、前記バイパス端子を引き操作して前記後退位置に配置させている状態の前記操作部を掛止可能であり、且つ前記操作部の掛止を解除することで前記バイパス端子の前記後退位置から前記進出位置への配置変更を許容する後退用受部を有する、
請求項１に記載の電力量計用のバイパス工具。
【請求項３】
前記バイパス端子の先端面は、前記端子台に対して面接触するように構成される、請求項１又は請求項２に記載の電力量計用のバイパス工具。
【請求項４】
前記端子台の前面に対向配置する背面と該背面とは反対側の前面とを有するケースを備え、
前記ケースの背面には、前記バイパス端子を挿通する筒状の端子用挿通部が形成され、
前記端子用挿通部の内径は、前記バイパス端子の外径よりも大きい、
請求項１乃至請求項３の何れか１項に記載の電力量計用のバイパス工具。
【手続補正２】
【補正対象書類名】明細書
【補正対象項目名】００１３
【補正方法】変更
【補正の内容】
【００１３】
また、本発明の電力量計用のバイパス工具は、
前記端子台の前面に対向配置する背面と該背面とは反対側の前面とを有するケースを備え、
前記ケースの背面には、前記バイパス端子を挿通する筒状の端子用挿通部が形成され、
前記端子用挿通部の内径は、前記バイパス端子の外径よりも大きくなっていてもよい。